(57)【要約】      （修正有）【課題】重篤な患者を撮影対象とする場合であっても、動態周期の予め定められた位相での撮影を容易に行えるようにし、患者の被曝線量を低減する放射線撮影システムを提供する。【解決手段】放射線撮影システム１００によれば、呼吸による被写体Ｈの動態を検出し、被写体Ｈの動態を示す信号を出力するドップラーセンサー５を備え、制御部は、ＦＰＤカセッテ４が撮影可能状態であるか否かを確認し、撮影可能状態である場合に、制御装置３にready信号を出力する。また、制御部は、ドップラーセンサー５の出力信号波形に基づいて被写体Ｈが動態周期の予め定められた位相に到達したか否かを判断し、到達したと判断した場合に、制御装置３に位相検知信号を出力する。制御装置３は、ＦＰＤカセッテ４が撮影可能状態にあり、かつ、被写体Ｈの呼吸が呼吸周期の予め定められた位相に到達した場合に、放射線発生装置１に放射線照射の許可信号を出力する。【選択図】図１
2015208443.tif 000002
【特許請求の範囲】
【請求項１】
被写体に放射線を照射する放射線源と、放射線の照射の開始指示を入力するための曝射スイッチとを有する放射線発生装置と、
２次元状に配置された複数の放射線検出素子により照射され被写体を透過した放射線を検出して前記被写体の画像データを生成する放射線検出器と、
前記被写体の動態を検出し、前記被写体の動態を示す信号を出力する検出手段と、
前記曝射スイッチが押下された場合に、前記放射線検出器が撮影可能状態にあるか否かを確認する確認手段と、
前記検出手段からの前記被写体の動態を示す信号に基づいて前記被写体の動態が前記動態周期の予め定められた位相に到達したか否かを判断する判断手段と、
前記放射線検出器が撮影可能状態にあり、かつ、前記被写体の動態が前記動態周期の予め定められた位相に到達した場合に、前記放射線発生装置に放射線照射の許可信号を出力する制御手段と、を備え、
前記放射線発生装置は、前記放射線照射の許可信号を受信した場合に前記放射線源から放射線照射を開始する放射線撮影システム。
【請求項２】
前記検出手段は、マイクロ波ドップラーセンサーである請求項１に記載の放射線撮影システム。
【請求項３】
前記検出手段から出力された前記被写体の動態を示す信号の波形が予め定められた基準を満たすか否かを判断する第２の判断手段を備え、
前記制御手段は、更に、前記被写体の動態を示す信号の波形が予め定められた基準を満たした場合に、前記放射線発生装置に放射線照射の許可信号を出力する請求項１又は２に記載の放射線撮影システム。
【請求項４】
前記放射線発生装置及び前記放射線検出器は、静止画撮影及び動態撮影に対応している請求項１〜３の何れか一項に記載の放射線撮影システム。
【請求項５】
動態撮影時に、前記検出手段からの出力信号を取得し、前記放射線検出器により生成された画像データ及び前記被写体の患者情報に対応付けて記憶手段に記憶させる記憶制御手段を備える請求項４に記載の放射線撮影システム。
【発明の詳細な説明】
【技術分野】
【０００１】
本発明は、放射線撮影システムに関する。
【背景技術】
【０００２】
胸部診断においては、長らく、深呼吸下の最大吸気位における息止め画像（静止画）と、自然呼吸（深呼吸ではない自然な状態での呼吸）下の聴診器による肺野の各領域毎の音情報とに基づく診断体系が構築されてきた。この診断体系においては、熟練者が長年に亘って培ってきた診断スキルを経験の浅い医師に水平展開することが困難で、医師各個人の力量に依存することが多かった。
【０００３】
近年では、放射線による胸部動態の連続撮影（動態撮影）を行い、得られた複数のフレーム画像に基づいて、撮影対象の換気機能や血流機能の特徴量を算出し、医師の診断を支援する技術が提案されている（例えば、特許文献１、２参照）。
【０００４】
動態撮影は、放射線科の撮影室内で立位ブッキー装置等を使用して行われるだけでなく、撮影室へ移動できない比較的重篤な患者を撮影対象とする場合には、当該患者のベッドまで撮影システムを持ち込んで撮影を行う回診撮影でも実施される場合がある（例えば、特許文献３参照）。
【０００５】
また、動態撮影時には、撮影時の放射線照射とＦＰＤ（Flat Panel Detector）の同期のズレ防止や撮影されたフレーム画像のデータ転送の観点から、無線ではなく有線で、かつ、ＦＰＤカセッテが自己照射開始検知機能を有していても、放射線発生装置とＦＰＤとの間で信号等をやり取りして同期がとられた状態で撮影を行う同期方式で撮影することが好ましいことが知られている（例えば、特許文献４、５参照）。
【先行技術文献】
【特許文献】
【０００６】
【特許文献１】国際公開第２００９／０９０８９４号パンフレット
【特許文献２】国際公開第２０１２／０２６１４５号パンフレット
【特許文献３】特開２０１２−２３９７９６号公報
【特許文献４】特開２０１１−１３９８５１号公報
【特許文献５】特許第４６１７２１４号公報
【発明の概要】
【発明が解決しようとする課題】
【０００７】
上述する胸部の動態撮影により得られるフレーム画像群に基づく胸部機能の特徴量（診断支援情報）の有効活用が期待されるが、一方では、動態撮影は、患者の被曝線量が従来の静止画１枚の撮影に比べて増大する。特に、ベッドサイドでの回診撮影を行うような重篤な患者に対しては、経過観察のために動態撮影を繰り返し実施することはできるだけ避けたい。
【０００８】
そこで、初診時には、例えば、自然呼吸下の胸部動態の連続撮影（動態撮影）を行って胸部動態に係る特徴量を算出するとともに、所定の呼吸位相（呼吸周期の位相。例えば、最大吸気位や最大呼気位等）を対象として静止画を撮影しておき、以後の経過観察においては、所定の位相の静止画撮影を行う等することで、精度の良い診断を可能とするとともに、患者の被曝線量の増大を抑制することが期待される。
【０００９】
しかしながら、健常者を撮影室で撮影する場合には、所定の呼吸位相を撮影するのは比較的容易であるが、ベッドに寝ている患者の、自然呼吸下の安静吸気位や安静呼気位を撮影するのは難しい。所定の位相が安静吸気位と安静呼気位の中間である場合には、撮影は非常に困難である。ここで、安静吸気位とは、自然呼吸下での最大の吸気位をいい、安静呼気位とは、自然呼吸下での最大の呼気位をいう。また、静止画撮影であれば、ＦＰＤカセッテの自己照射開始検知機能を利用して撮影を行うことが可能ではあるが、所定位相のタイミングを撮影技師が見計らって曝射を開始しても、曝射スイッチの操作時点に対し、実際に照射された放射線をＦＰＤで検知して画像蓄積モードに移行するまでにタイムラグがあるため、実際に撮影される位相は、技師の望む位相に対し位相ズレを生じやすい。
【００１０】
本発明の課題は、重篤な患者を撮影対象とする場合であっても、動態周期の予め定められた位相での撮影を容易に行えるようにし、患者の被曝線量を低減することである。
【課題を解決するための手段】
【００１１】
上記課題を解決するため、請求項１に記載の発明の放射線撮影システムは、
被写体に放射線を照射する放射線源と、放射線の照射の開始指示を入力するための曝射スイッチとを有する放射線発生装置と、
２次元状に配置された複数の放射線検出素子により照射され被写体を透過した放射線を検出して前記被写体の画像データを生成する放射線検出器と、
前記被写体の動態を検出し、前記被写体の動態を示す信号を出力する検出手段と、
前記曝射スイッチが押下された場合に、前記放射線検出器が撮影可能状態にあるか否かを確認する確認手段と、
前記検出手段からの前記被写体の動態を示す信号に基づいて前記被写体の動態が前記動態周期の予め定められた位相に到達したか否かを判断する判断手段と、
前記放射線検出器が撮影可能状態にあり、かつ、前記被写体の動態が前記動態周期の予め定められた位相に到達した場合に、前記放射線発生装置に放射線照射の許可信号を出力する制御手段と、を備え、
前記放射線発生装置は、前記放射線照射の許可信号を受信した場合に前記放射線源から放射線照射を開始する。
【００１２】
請求項２に記載の発明は、請求項１に記載の発明において、
前記検出手段は、マイクロ波ドップラーセンサーである。
【００１３】
請求項３に記載の発明は、請求項１又は２に記載の発明において、
前記検出手段から出力された前記被写体の動態を示す信号の波形が予め定められた基準を満たすか否かを判断する第２の判断手段を備え、
前記制御手段は、更に、前記被写体の動態を示す信号の波形が予め定められた基準を満たした場合に、前記放射線発生装置に放射線照射の許可信号を出力する。
【００１４】
請求項４に記載の発明は、請求項１〜３の何れか一項に記載の発明において、
前記放射線発生装置及び前記放射線検出器は、静止画撮影及び動態撮影に対応している。
【００１５】
請求項５に記載の発明は、請求項４に記載の発明において、
動態撮影時に、前記検出手段からの出力信号を取得し、前記放射線検出器により生成された画像データ及び前記被写体の患者情報に対応付けて記憶手段に記憶させる記憶制御手段を備える。
【発明の効果】
【００１６】
本発明によれば、重篤な患者を撮影対象とする場合であっても、動態周期の予め定められた位相での撮影を容易に行うことができるので、患者の被曝線量を低減することが可能となる。
【図面の簡単な説明】
【００１７】
【図１】本実施形態に係る放射線撮影システムの全体構成を示す図である。
【図２】コンソールの機能的構成を示すブロック図である。
【図３】（ａ）は、ドップラーセンサーの出力信号波形を示す図、（ｂ）は、呼吸による胸部の所定位置の変位量の時間による変化を示す図である。
【図４】ドップラーセンサーの配置例を示す図である。
【図５】ドップラーセンサーをＦＰＤカセッテに装着した例を示す図である。
【図６】コンソールと制御装置により実行される撮影制御処理の流れを示す図である。
【図７】コンソールと制御装置により実行される撮影制御処理の流れを示す図である。
【図８】変形例１における放射線撮影システムを示す図である。
【図９】変形例２における放射線撮影システムを示す図である。
【発明を実施するための形態】
【００１８】
以下、図面を参照して本発明に係る好適な実施形態について説明する。なお、本発明は、図示例に限定されるものではない。
【００１９】
（放射線撮影システム１００の構成）
まず、本実施形態の構成について説明する。
図１に、本実施形態における放射線撮影システム１００の全体構成例を示す。
放射線撮影システム１００は、移動が困難な患者の撮影のための回診用のシステムであり、放射線発生装置１と、コンソール２と、制御装置３と、ＦＰＤ（Flat Panel Detector）カセッテ４と、マイクロ波ドップラーセンサー５（以下、ドップラーセンサー５と呼ぶ）と、を備えて構成されている。放射線発生装置１は、車輪を有し、コンソール２や制御装置３を載置して移動可能な回診車として構成されている。放射線撮影システム１００において、コンソール２は、ケーブルＣ１を介してＦＰＤカセッテ４と通信接続可能であり、ケーブルＣ２を介してドップラーセンサー５と通信接続可能であり、ケーブルＣ３を介して制御装置３と通信接続可能である。制御装置３は、ケーブルＣ４を介して放射線発生装置１と通信接続可能である。
【００２０】
放射線撮影システム１００は、図１に示すように、病室Ｒｃ等に持ち込まれ、ドップラーセンサー５を被写体Ｈ（患者）近傍に配置し、ＦＰＤカセッテ４を、例えばベッドＢに寝ている被写体ＨとベッドＢとの間に差し込む等した状態で、放射線発生装置１のポータブルの放射線源１１から放射線を照射して、被写体Ｈの動態撮影又は静止画撮影を行うシステムである。
動態撮影とは、被写体Ｈに対し、Ｘ線等の放射線をパルス状にして所定時間間隔で繰り返し照射するか(パルス照射)、もしくは、低線量率にして途切れなく継続して照射する(連続照射)ことで、複数の画像を取得することをいう。動態撮影では、例えば、呼吸運動に伴う肺の膨張及び収縮の形態変化、心臓の拍動等の、周期性（サイクル）を持つ被写体Ｈの動態を撮影する。この連続撮影により得られた一連の画像を動態画像と呼ぶ。また、動態画像を構成する複数の画像のそれぞれをフレーム画像と呼ぶ。
静止画撮影とは、従来のフィルム方式やＣＲ方式と同様に撮影部位の濃度分解能に基づく診断に使用されるもので、被写体Ｈに対し、Ｘ線等の放射線を１回照射して一枚の静止画像を取得することをいう。
本実施形態においては、放射線撮影システム１００は、被写体Ｈの胸部を撮影し、その動態を撮影するものとして説明するが、撮影部位はこれに限定されるものではない。
【００２１】
以下、放射線撮影システム１００を構成する各装置について説明する。
放射線発生装置１は、単射及び連射（パルス照射）が可能な放射線発生装置である。即ち、静止画撮影と動態撮影の双方に対応した放射線発生装置である。放射線発生装置１は、放射線を照射する放射線源１１と、操作卓１２と、曝射スイッチ１３等を備えて構成されている。操作卓１２は、放射線技師等の撮影実施者が放射線照射条件、例えば、静止画撮影であるか動態撮影であるかの区別、管電流、管電圧、放射線照射時間、フレームレート（１単位時間（１秒）当たりに撮影するフレーム画像数）等を設定するための操作ボタンを備えて構成されている。曝射スイッチ１３は、２段階スイッチであり、第１段スイッチが押下（ＯＮ）されると、放射線源１１の起動指示信号が入力され、第２段スイッチが押下（ＯＮ）されると、放射線照射指示信号が入力される。
【００２２】
ただし、放射線発生装置１は、インターロック機能を備え、曝射スイッチ１３の第２段スイッチが押下されても、撮影系の準備完了等を示す放射線照射の許可信号としてのインターロック解除信号が制御装置３を介して入力されるまでは放射線源１１による放射線照射は開始しないように構成されている。
【００２３】
コンソール２は、ＦＰＤカセッテ４が撮影可能（ready）状態となったとき、制御装置３にＦＰＤカセッテ４のready信号を出力する。また、ドップラーセンサー５から送信されてくる呼吸による被写体Ｈの動態を示す信号値の時間変化（出力信号波形）に基づいて被写体Ｈの呼吸位相が所定の位相になったか否かを判断し、所定の位相になったと判断したときに制御装置３に位相検知信号を出力する。なお、ＦＰＤカセッテ４のready状態と所定の呼吸位相の検知の両方が成立すると、制御装置３にインターロックを解除する信号を送出するようにしても良い。
また、コンソール２は、ＦＰＤカセッテ４から送信された画像データをプレビュー表示したり、ＦＰＤカセッテ４から送信された画像データをリアルタイムで表示したり、画像データを解析して肺の換気機能や血流機能に関する特徴量を算出したりする。
【００２４】
図２に、コンソール２の機能構成例を示す。図２に示すように、コンソール２は、制御部２１、記憶部２２、操作部２３、表示部２４、通信部２５、コネクター２６ａ〜２６ｃ等を備えて構成され、各部はバス２７により接続されている。
【００２５】
制御部２１は、ＣＰＵ（Central Processing Unit）、ＲＡＭ（Random Access Memory）等により構成される。制御部２１のＣＰＵは、操作部２３の操作に応じて、記憶部２２に記憶されているシステムプログラムや各種処理プログラムを読み出してＲＡＭ内に展開し、展開されたプログラムに従って図６〜図７に示す撮影制御処理のコンソール２側の処理を始めとする各種処理を実行し、コンソール２各部の動作を集中制御する。制御部２１は、確認手段、判断手段、第２の判断手段、記憶制御手段として機能する。
【００２６】
記憶部２２は、不揮発性の半導体メモリやハードディスク等により構成される。記憶部２２は、制御部２１で実行される各種プログラムやプログラムにより処理の実行に必要なパラメータ、或いは処理結果等のデータを記憶する。各種プログラムは、読取可能なプログラムコードの形態で格納され、制御部２１は、当該プログラムコードに従った動作を逐次実行する。
また、記憶部２２は、ＦＰＤカセッテ４から送信された画像データに、被写体Ｈの患者情報及び体位情報や、撮影時のドップラーセンサー５の出力信号波形、画像データに基づいて算出された特徴量等を対応付けて記憶する。
【００２７】
操作部２３は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。
【００２８】
表示部２４は、ＬＣＤ（Liquid Crystal Display）やＣＲＴ（Cathode Ray Tube）等のモニタにより構成され、制御部２１から入力される表示信号の指示に従って、操作部２３からの入力指示やデータ等を表示する。
【００２９】
通信部２５は、ＬＡＮアダプタやモデムやＴＡ（Terminal Adapter）等を備え、ＬＡＮ等の通信ネットワークに接続された各装置との間のデータ送受信を制御する。
【００３０】
コネクター２６ａは、ケーブルＣ１を介してＦＰＤカセッテ４と通信接続するためのコネクターである。コネクター２６ｂは、ケーブルＣ２を介してドップラーセンサー５と通信接続するためのコネクターである。コネクター２６ｃは、ケーブルＣ３を介して制御装置３と通信接続するためのコネクターである。
【００３１】
制御装置３は、放射線発生装置１と、コンソール２及びＦＰＤカセッテ４から構成される撮影系とのインターフェースを確立し、放射線発生装置１による放射線照射開始のタイミングを制御するための装置である。制御装置３は、ケーブルＣ３を介してコンソール２と通信接続するためのコネクター、ケーブルＣ４を介して放射線発生装置１と通信接続するためのコネクターを備えており、コンソール２からＦＰＤカセッテ４のready信号とドップラーセンサー５の位相検知信号の双方を受信した場合に、放射線発生装置１にインターロック解除信号を送信する。
【００３２】
ＦＰＤカセッテ４は、動態撮影及び静止画撮影対応の可搬型の放射線検出器である。ＦＰＤカセッテ４は、ガラス基板等の基板上の所定位置に、放射線源１１から照射されて少なくとも被写体Ｈを透過した放射線をその強度に応じて検出し、検出した放射線を電気信号に変換して蓄積する複数の放射線検出素子がマトリックス状（二次元状）に配列されて構成されている。各放射線検出素子には、例えばＴＦＴ（Thin Film Transistor）等のスイッチング部が接続され、スイッチング部により各放射線検出素子への電気信号の蓄積及び読み取りが制御され、画像データ（静止画像又はフレーム画像）が取得される。ＦＰＤには放射線をシンチレータを介して光電変換素子により電気信号に変換する間接変換型、放射線を直接的に電気信号に変換する直接変換型があるが、何れを用いてもよい。
【００３３】
ＦＰＤカセッテ４は、ケーブルＣ１を介してコンソール２と通信接続するためのコネクターを備えている。ＦＰＤカセッテ４の動作モード（静止画撮影モード、動態撮影モード）及びフレームレート、画像サイズ（マトリックスサイズ）等の画像読取条件は、ケーブルＣ１を介してコンソール２より設定される。
【００３４】
ＦＰＤカセッテ４は、撮影前に各放射線検出素子内に残存する電荷をできるだけ除去するために、各放射線検出素子のリセット処理を行う。リセット処理中にコンソール２から撮影可能状態にあるか否かの問い合わせがあると、ＦＰＤカセッテ４は、各放射線検出素子のリセット処理が終了した時点で各放射線検出素子のスイッチ部をオフ状態にして、放射線の照射により各放射線検出素子内で発生した電荷を各放射線検出素子内に蓄積させる電荷蓄積状態に移行させる。そして、コンソール２に対し、撮影可能な状態であることを示すready信号を送信する。
【００３５】
なお、ＦＰＤカセッテ４は、放射線技師等の撮影実施者が持参してもよいが、ＦＰＤカセッテ４は比較的重く、落下すると壊れたり故障したりする可能性があるため、回診車に設けられたカセッテ用のポケット６１ａに挿入されて搬送できるようになっている。
【００３６】
ドップラーセンサー５は、対象物に向けマイクロ波を発射し、反射してきたマイクロ波を受信して受信波の周波数が送信波に対してシフトする現象（ドップラー効果）を利用して、非接触により呼吸による被写体Ｈの胸部動態の位相変化を検出し、呼吸による被写体Ｈの動態信号（位相信号）を示す信号値をコンソール２に出力する検出手段である。
図３（ａ）に、被写体Ｈの呼吸による動態をドップラーセンサー５で検出したときの出力信号波形の一例を示す。図３（ｂ）に、被写体Ｈの呼吸による胸部の所定位置と固定されたドップラーセンサー５の位置との距離の変位量をプロットした模式図を示す。ドップラーセンサー５の信号値は、例えば、図３（ｂ）の波形を微分したものに距離特性が加わったものであり、図３（ａ）、（ｂ）に示すように、ドップラーセンサー５の出力信号波形と被写体Ｈの呼吸動作は相関を有しており、ドップラーセンサー５の出力信号の位相から、被写体Ｈの呼吸の位相（例えば、吸気、呼気、最大吸気、最大呼気等）を特定することが可能である。
【００３７】
ドップラーセンサー５のサイズは、例えば、１２．６ｍｍ×６．５ｍｍ×２３．０ｍｍ程度と小型である。また、ドップラーセンサー５の電波は、ガラスや布、アクリル等、非金属の薄い物質は透過する。そのため、ドップラーセンサー５は、例えば、カメラ等による呼吸状態の検出のように正面から被写体Ｈを捉える必要がなく、布団の中に配置することができ、配置の自由度が高い。また、設置作業も容易である。
ドップラーセンサー５としては、例えば、ギガテック社の型式ＧＺ−１０１２（商品名）やＧＺ−４２１１（商品名）等を使用することができる。
【００３８】
図４（ａ）〜（ｄ）に、ベッドＢに寝ている被写体Ｈに対するドップラーセンサー５の設置例を示す。なお、図４（ａ）〜（ｄ）において、左側はベッドＢを側面から見た図、右側はベッドＢを被写体Ｈの頭方向から見た図である。
例えば、図４（ａ）に示すように、ドップラーセンサー５は、ベッドＢの上やベッドＢの落下防止柵の上の被写体Ｈの近傍に配置してもよい。また、図４（ｂ）に示すように、被写体Ｈの頭の斜上（又は足元の斜め上）にしてもよい。また、図４（ｃ）に示すように、ベッドＢの裏側に配置してもよい。また、図４（ｄ）に示すように、病室Ｒｃの天井に配置することとしてもよい。なお、被写体Ｈに布団をかけた状態で撮影することを考慮すると、ドップラーセンサー５は、図４（ａ）に示すベッドＢの上の、被写体Ｈの呼吸による変位の比較的大きい部位である、脇腹、肩甲骨、又は鎖骨付近に配置することが好ましい。この場合には、ＦＰＤカセッテサイズよりも一回り大きなサイズを有するカセッテホルダーを用い、当該カセッテホルダーにドップラーセンサー５を設けることが好ましい。
また、ドップラーセンサー５は、１個以上配置されていればよい。ドップラーセンサー５の個数を増やすことにより、検出精度を向上させることができるので好ましい。
【００３９】
なお、ドップラーセンサー５は、無線によりコンソール２と通信接続可能な構成としてもよい。この場合、図５（ａ）に示すように、ドップラーセンサー５は、ＦＰＤカセッテ４の内部に設置することとしてもよいし、図５（ｂ）に示すようにＦＰＤカセッテ４に外部から装着して配置することとしてもよい。また、ＦＰＤカセッテ４が半切サイズ（１４ｃｍ×１７ｃｍ）のように大きく、被写体Ｈが子供である場合等、ＦＰＤカセッテ４のサイズに対して被写体Ｈが小さい場合には、ＦＰＤカセッテ４の表面にドップラーセンサー５を配置することとしてもよい。また、ＦＰＤカセッテ４の通信経路を介してコンソール２にドップラーセンサー５からの信号値を送信することとしてもよい。
【００４０】
（放射線撮影システム１００の動作）
次に、放射線撮影システム１００の動作について説明する。
図６〜図７に、撮影実施者の操作に応じてコンソール２と制御装置３とにより実行される撮影制御処理の流れを示す。
【００４１】
まず、コンソール２において、制御部２１は、表示部２４に患者情報入力画面を表示させ、撮影実施者による操作部２３からの被写体Ｈの患者情報及び体位の情報（立位、臥位の区別）の入力を受け付ける（ステップＳ１）。
患者情報は、例えば、被写体Ｈとなる患者の氏名、年齢、性別、身長、体重等である。患者情報の入力は、操作部２３のキーボード等から直接入力することとしてもよいし、通信部２５を経由して、例えば図示しないＲＩＳ（放射線科情報システム）等から受信した患者情報を制御部２１により表示部２４に表示し、表示された患者情報の中から操作部２３により選択された患者情報を被写体Ｈの患者情報として入力することとしてもよい。制御部２１は、入力された患者情報及び体位の情報を制御部２１のＲＡＭに記憶させる。
【００４２】
次いで、コンソール２において、制御部２１は、表示部２４に撮影条件等の設定画面を表示させ、撮影実施者による設定画面上の操作部２３の操作に応じて撮影条件等を設定する（ステップＳ２）。
【００４３】
ステップＳ２においては、例えば、以下の項目を設定することができる。
・撮影種別（静止画撮影又は動態撮影）
・撮影する呼吸位相（静止画撮影の場合は、例えば、最大呼気位、最大吸気位、安静呼気位、安静吸気位、又は、これらの何れかの位相から何ｍｓｅｃ後のタイミング等。動態撮影の場合は、例えば、呼吸一周期以上、最大呼気位、最大吸気位、安静呼気位、安静吸気位の何れかの位相から何ｍｓｅｃ間等。）
なお、呼吸一周期以上が設定された場合は、実験的経験的に呼吸一周期以上となる時間だけ撮影が行われる。
・管電流、管電圧、放射線照射時間や、動態撮影の場合のフレームレート）等
制御部２１は、設定画面からの設定情報をＲＡＭに記憶させる。
【００４４】
撮影する呼吸位相の設定に際して、例えば、制御部２１は、ステップＳ１で選択された患者情報と同じ患者情報及び体位情報に対応付けられている（即ち、被写体Ｈの過去の）動態画像及びドップラーセンサー５の出力信号波形が記憶部２２に記憶されているか検索を行い、検索された場合は、その動態画像の一連のフレーム画像を表示部２４に一覧表示し、撮影する呼吸位相のフレーム画像（動態撮影の場合は、撮影開始と撮影終了のフレーム画像）を操作部２３により指定させてもよい。そして、制御部２１により、指定されたフレーム画像及び対応するドップラーセンサー５の出力信号波形に基づいて、指定されたフレーム画像が特定位相（最大（安静）吸気位、又は最大（安静）呼気位）から何ｍｓｅｃシフトした時点で撮影されたかを算出し、その時点を撮影する呼吸位相として設定することとしてもよい。このように、以前に同一被写体を撮影したフレーム画像を表示部２４に表示することで、撮影実施者は、前回（初回）撮影時の一連のフレーム画像を観察して撮影する呼吸位相を設定することができる。なお、各フレーム画像に換気機能や血流機能の特徴量が付帯されている場合は、特徴量を併せて表示させることとしてもよい。また、過去のフレーム画像の代わりに、過去のドップラーセンサー５の出力信号波形を表示して、操作部２３により波形上の位置を指定させることで、撮影する呼吸位相を指定させることとしてもよい。
【００４５】
なお、初回の撮影は、被写体Ｈの病状を把握するため、動態撮影で呼吸一周期以上を撮影することが多い。そこで、設定画面に、初回モードを選択するボタン等を表示し、操作部２３により初回モードが選択された場合は、自動的に撮影種別を動態撮影、撮影する呼吸位相を呼吸一周期以上に設定することとしてもよい。また、管電圧、管電流、フレームレート等は、デフォルトで設定されていることとしてもよい。
【００４６】
上記の放射線照射に関する設定（例えば、撮影種別、管電流、管電圧、放射線照射時間、フレームレート（動態撮影の場合）等）は、コンソール２から制御装置３を介して放射線発生装置１に送信して放射線発生装置１に設定するものとするが、放射線発生装置１とのインターフェースがインターロック機能（同期制御機能）のみの場合には、上記の放射線照射に関する設定は放射線発生装置１の操作卓１２にて行うこととなる。
【００４７】
撮影実施者が被写体Ｈのポジショニングを行い、放射線発生装置１の曝射スイッチ１３の第１段スイッチを押下すると、放射線発生装置１において放射線源１１が起動されるとともに、制御装置３に曝射スイッチ１３の第１段スイッチＯＮの通知情報が送信される。
制御装置３においては、放射線発生装置１から送信された第１段スイッチＯＮの通知情報を受信すると(ステップＳ３；ＹＥＳ)、コンソール２に、第１段スイッチＯＮの通知情報を送信する（ステップＳ４）。
【００４８】
コンソール２において、コネクター２６ｃにより第１段スイッチＯＮの通知情報を受信すると、制御部２１は、コネクター２６ａを介して、ＦＰＤカセッテ４に起動信号を送信してＦＰＤカセッテ４を起動させるとともに、ＲＡＭに記憶されている設定情報のうち、撮影種別、フレームレート等の画像読取条件に係る設定内容をＦＰＤカセッテ４に送信する（ステップＳ５）。
【００４９】
その後、撮影実施者により曝射スイッチ１３の第２段スイッチが押下されると、放射線発生装置１から制御装置３に第２段スイッチＯＮの通知情報が送信される。なお、上述のように、放射線発生装置１においては、インターロックが設けられており、第２段スイッチが押下されても制御装置３からインターロック解除信号が受信されない限り、放射線源１１からの放射線照射は行われない。
なお、曝射スイッチ１３は、一段目操作（第１段スイッチのＯＮ操作）と二段目操作（第２段スイッチのＯＮ操作）との間に１秒前後のタイム差を生じるよう構成されるのが一般的であるので、第一段目操作でＦＰＤカセッテ４を起動させれば、続く第二段目操作される時点では、ＦＰＤカセッテ４は撮影可能状態（リセット処理を完了し蓄積状態への移行完了している状態）にあることは言うまでもない。
【００５０】
制御装置３においては、放射線発生装置１から送信された第２段スイッチＯＮの通知情報を受信すると(ステップＳ６；ＹＥＳ)、コンソール２に、第２段スイッチＯＮの通知情報を送信する（ステップＳ７）。
【００５１】
コンソール２において、コネクター２６ｃを介して第２段スイッチＯＮの通知情報を受信すると、制御部２１は、コネクター２６ｂを介してドップラーセンサー５を起動させ、ドップラーセンサー５からの出力信号の受信を開始するとともに（ステップＳ８）、ＦＰＤカセッテ４に撮影可能状態であるか否かの問い合わせを送信する（ステップＳ９）。
コンソール２において、コネクター２６ａを介してＦＰＤカセッテ４から撮影可能状態であることを示すready信号を受信すると（ステップＳ１０；ＹＥＳ）、制御部２１は、コネクター２６ｃを介して制御装置３にＦＰＤカセッテ４のready信号を送信する（ステップＳ１１）。制御装置３は、ＦＰＤカセッテ４のready信号を受信する（ステップＳ１２）。
【００５２】
次いで、コンソール２において、制御部２１は、呼吸１周期以上の動態撮影が設定されているか否かを判断する（ステップＳ１３）。
【００５３】
呼吸１周期以上の動態撮影が設定されていると判断した場合（ステップＳ１３；ＹＥＳ）、制御部２１は、コネクター２６ｃを介して位相検知信号を制御装置３に送信する（ステップＳ１４）。また、制御部２１は、ドップラーセンサー５の出力信号波形の記憶部２２への記録を開始し、位相検知信号を送信してからステップＳ２で設定された撮影時間、ドップラーセンサー５からの信号値の時間変化を記憶部２２に記憶させる（ステップＳ１５）。
【００５４】
１周期以上の動態撮影が設定されていないと判断した場合（ステップＳ１３；ＮＯ）、制御部２１は、ドップラーセンサー５の出力信号波形に基づいて、被写体Ｈの呼吸が予め定められた位相に到達するのを待機する（ステップＳ１６）。予め定められた位相とは、具体的には、ステップＳ２で設定された「撮影する呼吸位相」の基点として指定された位相である。予め定められた位相に到達したと判断した場合（ステップＳ１６；ＹＥＳ）、制御部２１は、コネクター２６ｃを介して位相検知信号を制御装置３に送信する（ステップＳ１７）。
【００５５】
制御装置３においては、位相検知信号を受信すると（ステップＳ１８）、ＦＰＤのready信号と位相検知信号が成立したとして、インターロック解除信号を放射線発生装置１に送信する（ステップＳ１９）。
【００５６】
放射線発生装置１においては、インターロック解除信号を受信すると、設定された撮影条件に基づいて、放射線源１１により放射線を照射し、撮影を行う。ＦＰＤカセッテ４は、設定された画像読取条件に基づいて、照射された放射線を蓄積して画像の読み取りを行い、得られた画像データを撮影順にケーブルＣ１を介してコンソール２に送信する。動態撮影の場合は、画像データ（フレーム画像）複数枚をまとめてコンソール２に送信してもよいし、１枚読み取られる毎に送信することとしてもよい。
なお、本実施形態においては、インターロック解除信号によって許可される撮影は１回の静止画撮影又は動態撮影だけであり、その撮影が終了すると、インターロックが作動し、次の撮影セットの放射線照射を開始するにはインターロック解除信号が必要となる。
【００５７】
コンソール２において、ＦＰＤカセッテ４からコネクター２６ａを介して画像データが受信されると（ステップＳ２０）、制御部２１は、受信した画像データをプレビュー用に表示部２４に表示させる（ステップＳ２１）。なお、受信された画像データに、オフセット補正処理、ゲイン補正処理、欠陥画素補正処理等を施してからプレビュー表示を行うこととしてもよい。撮影実施者は、表示された画像を確認し、撮影ＯＫであるか否かの判断を行い、操作部２３により判断結果を入力する。
【００５８】
操作部２３の所定の操作により撮影ＯＫを示す判断結果が入力されると（ステップＳ２２；ＹＥＳ）、制御部２１は、受信した画像データを患者情報及び体位情報に対応付けて記憶部２２に記憶させる(ステップＳ２４)。なお、ドップラーセンサー５の出力信号波形が記憶されている場合は、フレーム画像の画像データに、更にドップラーセンサー５の信号波形を対応付けて記憶部２２に記憶させる。そして、撮影制御処理を終了する。
【００５９】
ここで、立位と臥位とでは呼吸による胸部の挙動が異なるので、当初はベッド上の臥位での撮影であったが回復に伴い一般の立位での撮影に変わったような場合には、両者の画像データやドップラーセンサー５の出力信号波形を単純に比較すると誤診につながる可能性がある。そこで、画像データやドップラーセンサー５の出力信号波形に体位情報（立位または臥位）を対応付けて記憶しておき、これらの画像、波形や画像に基づき算出した特徴量を表示する際には、いずれの体位での撮影かを併せて表示することが好ましい。
【００６０】
操作部２３の所定の操作により撮影ＮＧを示す判断結果が入力されると（ステップＳ２２；ＮＯ）、制御部２１は、受信した画像データを破棄し(ステップＳ２３)、撮影制御処理を終了する。
【００６１】
動態撮影により得られた画像データについては、コンソール２の制御部２１により解析が行われ、換気機能や血流機能に係る特徴量が算出される。そして、算出された特徴量が表示部２４に表示されるとともに、解析に用いられた画像データに対応付けて記憶部２２に記憶される。
換気機能に係る特徴量としては、例えば、肺野の濃度変化（画像の肺野領域の濃度変化）に基づく気流速度の解析（例えば、特開２０１３−０８１５７９号公報参照）、肺野の濃度変化に基づく気流速度の吸気／呼気の比の解析（例えば、特許文献３参照）、横隔膜の形態解析、肺野のフレーム画像間の面積変化率の解析（例えば、特許文献１参照）、換気量の振幅の解析（例えば、特許文献１参照）等の公知の特徴量が挙げられるが、これに限定されるものではない。
また、血流機能に係る特徴量としては、例えば、血管領域のフレーム画像間の濃度変化量の解析（例えば、特許文献１参照）、血流量の振幅の解析（例えば、特許文献２参照）等の公知の特徴量が挙げられるが、これに限定されるものではない。
【００６２】
上記放射線撮影システム１００によれば、ＦＰＤカセッテ４が撮影可能状態となり、かつ、ドップラーセンサー５の出力信号波形に基づいて予め定められた呼吸位相が検出された場合に、放射線発生装置１にインターロック解除信号が出力されて放射線照射が開始される。従って、ベッドで寝ている重篤な患者であっても、容易かつ精度良く予め定められた呼吸位相の撮影を行うことが可能となる。また、従来、撮影する呼吸位相の指定が困難であった動態撮影時においても、容易かつ精度良く予め定められた呼吸位相の撮影を行うことが可能となる。
【００６３】
従来、ベッドで寝ている重篤な患者、即ち、「息を吸って、止めて、吐いて」のように撮影実施者の指示に応じて呼吸を行うことが困難な患者に対して胸部の動態撮影を行う場合、所望の呼吸位相のタイミングを特定することは難しく、呼吸一周期以上の撮影時間で動態撮影を行わなければならなかった。初回（初診）時は、病状把握のために呼吸一周期以上の撮影が必要となることもあるが、経過観察ごとに呼吸一周期以上の動態撮影を行うことは、患者の被曝線量が多くなってしまい、患者の体への負担が大きいため好ましくない。
これに対し、放射線撮影システム１００によれば、ベッドで寝ている重篤な患者、即ち、「息を吸って、止めて、吐いて」のように撮影実施者の指示に応じて呼吸を行うことが困難な患者に対しても、所定の呼吸位相の撮影を容易かつ精度良く行うことができるので、経過観察ごとに毎回呼吸一周期以上の撮影時間で撮影せずに、診断に必要な呼吸位相のみを撮影することが可能となり、患者の被曝線量を低減することが可能となる。
【００６４】
また、放射線撮影システム１００によれば、放射線発生装置１は、従来と同様にインターロック解除信号によって放射線照射を開始するだけの同期構成であるので、ＦＰＤと同期可能に構成された既存の放射線発生装置を用いて、所望の呼吸位相の撮影を行うことが可能となる。
【００６５】
なお、何れの呼吸位相を撮影するかは、患者の疾患や実施する動態解析の内容によって異なる。
【００６６】
以下に、実施する解析ごとに撮影に最適な呼吸位相を示す。
（１）換気機能の解析
（１−１）横隔膜の形態解析：呼気の初め（安静吸気位の直後の所定期間）だけ撮影
（１−２）肺野の濃度変化（画像の肺野領域の濃度変化）に基づく気流速度（フレーム間差分値）の解析：呼気若しくは吸気の初め（安静吸気位若しくは安静呼気位の直後の所定期間）だけ撮影
【００６７】
（１−１）においては、横隔膜の形態変化が大きい呼吸位相のみを撮影、（１−２）においては、画像の肺野領域の濃度変化が大きい呼吸位相のみを撮影することで、呼吸１サイクル以上撮影する場合に比べて患者の被曝量を抑えつつ、疾患に対する診断性能を低下させずに解析を行うことが可能となる。
【００６８】
（１―３）肺野の濃度変化に基づく気流速度の吸気／呼気の比の解析：安静呼気位〜安静吸気位（吸気期）、安静吸気位〜安静呼気位（呼気期）のそれぞれの間の丁度中間位相を検出し、撮影する。
この場合、比を算出する吸気、呼気の位相の肺野面積、横隔膜位置が同じとなるため、例えば、特許文献１に記載されているような、吸気、呼気の２つの画像間での肺野領域の位置合わせ（ワーピング処理）が不要となる。患者の被曝も低減することができる。
【００６９】
（２）血流の解析
呼吸による変化が小さく肋骨や肺血管の移動が少ない、安静呼気位若しくは安静吸気位付近で(例えば安静呼気位の直前から)一心拍周期に相当する時間だけ撮影する。若しくは、複数の呼吸周期において安静呼気位若しくは安静吸気位付近で一心拍周期に相当する時間だけ撮影し、結合する。
この場合、誤差要因となり得る、肋骨移動による濃度変化等の呼吸に伴う濃度変化への混入を抑えることができる。
【００７０】
また、静止画撮影を行った後に、換気機能の解析を行うことを目的として所定の呼吸位相の動態撮影を行う場合には、深呼吸下、最大吸気位で息止めし、静止画撮影をした直後、即ち呼気の開始直後の所定期間だけ動態を撮影することが好ましい。このようにすれば、静止画撮影に加え、上記（１−１）、（１−２）の解析を行うことができ、換気機能の診断支援情報を付加することができるので好ましい。
また、静止画撮影を行った後に、血流機能の解析を行うことを目的として所定の呼吸位相の動態撮影を行う場合には、深呼吸下又は自然呼吸下で、最大吸気位又は安静吸気位での静止画撮影後の最大呼気位又は安静呼気位付近で(例えば最大呼気位の直前から)１心拍周期に相当する時間だけ撮影する。
呼吸による変化が小さい呼気終了時点で撮影を行うことで、呼吸による肺野内構造物の移動の影響を少なくすることができ、静止画撮影に加え、精度良く上記（２−１）の解析を行うことができ、血流機能の診断支援情報を付加することができるので好ましい。更に、最大呼気位では肺の縮小に伴い胸腔内圧の陰圧の程度が少なくなり血管抵抗が上がるため、最大呼気位より安静呼気位直前で撮影する方が好ましい。つまり、深呼吸下の最大呼気位相近くの撮影は、患者の真の状態を表わしていない可能性があるので、自然呼吸下の安静呼気位近くの撮影の方が好ましい。
【００７１】
また、患者の疾患がＣＯＰＤ（慢性閉塞性肺疾患）である場合、末梢気道の弾性収縮力が低下することにより、吸気時間＜呼気時間、つまり、空気を吐き出しにくいという特徴を有することが知られている。即ち、吸気よりも呼気の方がより病態が顕著に現れる。更には、一般的に、呼気中において呼気初めが気流速度が大きく時間とともに徐々に小さくなるため、健常な人と比べて呼気初めで病態がより顕著に現れる。
従って、ＣＯＰＤの経過観察としては、最大吸気位から最大呼気位までの間（又は、安静吸気位から安静呼気位までの間）の、肺野の形態変化、肺野内の濃度変化を観察することが有効であり、この期間の動態撮影を行うことが好ましい。スパイロメーターを用いた肺機能検査では、最大吸気位（最大努力吸気位）から一気に息を吐いて検査するが、同様に最大吸気位から息を吐きだし、最大呼気位まで若しくはその途中の位相までの動態撮影を行って、一連のフレーム画像の肺野の形態変化、肺野内の濃度変化を観察するようにしてもよい。或いは、安静吸気位から自然に息を吐き出し、安静呼気位まで若しくはその途中の位相までの動態撮影を行って、一連のフレーム画像の肺野の形態変化、肺野内の濃度変化を観察するようにしてもよい。撮影対象としては、患者の日常の生活状況と近しい関係にある後者の方がより好ましい。
【００７２】
換言すると、ＣＯＰＤの場合、呼気期に比べて、最大呼気位（又は安静呼気位）から最大吸気位（又は安静吸気位）までの吸気期における撮影は、重要性が低い。呼気期と吸気期の両方を撮影することで、両者における比較情報を得ることができるものの、経過観察においての患者の被曝線量低減を勘案すると、吸気期の撮影は行わないことが好ましい。従って、最大吸気位又は安静吸気位に到達したことをドップラーセンサー５の出力信号に基づいて検出して、この検出を動態撮影開始のトリガーにする。なお、撮影終了のトリガーは、上記実施形態では撮影開始のトリガーからの経過時間（一般的な呼吸時間から推定。例えば、１〜数秒）としているが、ドップラーセンサー５からの出力信号に基づいて最大呼気位又は安静呼気位を検出したときとしてもよい。
【００７３】
更に、最初に、撮影条件の設定を静止画撮影の線量レベルや放射線照射時間等の設定にして深呼吸下の最大吸気位の静止画を撮影し、従来の静止画による診断手法での診断を可能とし、その後、撮影条件の設定を動態撮影用に切り替え、患者に、再度、深呼吸での息止め及び息止めからの解放（呼気）を促し、ドップラーセンサー５からの出力信号に基づいて、深呼吸下の最大吸気位からの解放状態（呼気状態）の撮影を開始すれば、従来手法の診断性能に加えて、新たな動態撮影による肺からの排気状態に関する情報が得られ、より診断性能を高めることが可能となる。                                            
勿論、放射線発生装置１が静止画撮影用の放射線照射と動態撮影用のパルス照射を連続して照射可能（ＦＰＤカセッテ４も同期して連続読み取り可能）に構成されていれば、技師は、患者に深呼吸息止めを指導して静止画を撮影し、息止め状態からの解放（呼気の開始）のために患者に声をかければ、一度の撮影設定で静止画撮影と動態撮影を行うことが可能である。
【００７４】
更には、ＦＰＤカセッテ４の、放射線源１１に対向する面と反対側に、被写体Ｈを透過した放射線量を検出するセンサー（ＡＥＣ（Automatic Exposure Control）センサー）を設け、静止画撮影時にはＡＥＣセンサーにより検出された放射線量に基づいて放射線照射時間を制御することとし、このＡＥＣセンサーに基づき撮影した静止画撮影時の撮影条件に基づいて、後続する動態撮影の撮影条件を決定することが好ましい。このように構成することで、動態撮影時の放射線照射線量を適切に設定することができ、患者への被曝線量を抑えることができる。
【００７５】
上記の放射線撮影システム１００を用いた、初回（初診）と経過観察の有効な撮影パターンとしては、例えば、以下の（ａ）〜（ｇ）が挙げられる。
（ａ）初回：自然呼吸１周期の動態撮影
経過観察：自然呼吸下の安静吸気位→安静呼気位の動態撮影
（ｂ）初回：深呼吸下の最大吸気位の静止画撮影（従来の診断体系と同一）
経過観察：深呼吸下の最大吸気位→最大呼気位の動態撮影
（ｃ）初回：深呼吸下の最大吸気位の静止画撮影（従来の診断体系と同一）＋深呼吸下の最大吸気位→最大呼気位の動態撮影
経過観察：深呼吸下の最大吸気位→最大呼気位の動態撮影
（ｄ）初回：深呼吸下の最大吸気位の静止画撮影（従来の診断体系と同一）＋自然呼吸下の安静吸気位→安静呼気位の動態撮影
経過観察：自然呼吸下の安静吸気位→安静呼気位の動態撮影
（ｅ）初回：自然呼吸１周期の動態撮影＋自然呼吸下の所定位相（例えば、安静吸気位直後とか安静吸気位から安静呼気位の略中間位相）の静止画撮影
経過観察：自然呼吸下の所定位相（例えば、安静吸気位直後とか安静吸気位から安静呼気位の略中間位相）の静止画撮影
（ｆ）初回：深呼吸下の最大吸気位の静止画撮影（従来の診断体系と同一）＋自然呼吸下のドップラーセンサー５の波形信号（吸気期間、呼気期間）
経過観察：自然呼吸下のドップラーセンサー５の出力信号波形（吸気期間、呼気期間）
（ｇ）初回：自然呼吸１周期の動態撮影＋自然呼吸下のドップラーセンサー５の波形信号（吸気期間、呼気期間）
経過観察：自然呼吸下のドップラーセンサー５の出力信号波形（吸気期間、呼気期間）
【００７６】
回診撮影のように、患者が重篤である場合等で深呼吸や息止めができない、或いは困難であり患者に苦痛を与えるので最低限に抑えたい場合、（ａ）、（ｅ）の何れかの撮影パターンを適用することで、患者の被曝量を抑えつつ、患者の換気機能（血流機能）を把握可能な情報を得ることができる。患者が深呼吸や息止めが可能である場合、（ｂ）、（ｃ）、（ｄ）の何れかの撮影パターンを適用することで、従来の診断手法を継承しつつ、更に、患者の被曝量を抑えて患者の換気機能（血流機能）を把握可能な情報を得ることができる。また、（ｆ）、（ｇ）のパターンでは、経過観察では撮影を行わないため、患者の被曝量を大幅に抑えつつ、患者の呼吸状態を把握することが可能となる。
【００７７】
上記の深呼吸下の最大吸気位→最大呼気位の動態撮影、又は、自然呼吸下の安静吸気位→安静呼気位の動態撮影において、更に患者の被曝線量を低減させるために、途中の所定位相までの動態を撮影、若しくは、この間の２以上の所定位相にて静止画を撮影することとしてもよい。
【００７８】
また、特に（ｃ）の初回撮影においては、放射線発生装置１が静止画撮影用の放射線照射と動態撮影用のパルス照射を連続して照射可能（ＦＰＤカセッテ４も同期して連続読み取り可能）なものを使用し、曝射スイッチ１３の２段目のスイッチを１回押下しておくだけで、静止画撮影後に自動的に動態撮影モードに切り替り、ドップラーセンサー５で検出した位相に基づいて動態撮影を行う構成とすることが好ましい。例えば、放射線撮影システム１００において、ステップＳ２でコンソール２から静止画撮影と動態撮影の設定を連続して行えるようにし、静止画撮影と動態撮影の設定が連続して行われた場合は、制御部２１は静止画撮影用の位相検知信号を送信したらステップＳ９に戻り、ＦＰＤカセッテ４のready信号を送信後、ドップラーセンサー５の出力信号波形に基づいて動態撮影用の呼吸位相が到来するのを待機し、動態撮影用の呼吸位相が到来したら再度位相検知信号を制御装置３に送信することとしてもよい。これにより、撮影実施者は、静止画撮影から動態撮影に設定変更をする手間が省けるとともに、最大吸気位の静止画撮影直後の呼気状態の撮影が可能となり、撮影に係る時間を短縮することができる。
【００７９】
更に、呼気終了直前での血流情報を取得したい場合は、放射線発生装置１が静止画撮影用の放射線照射と動態撮影用のパルス照射を連続して照射可能（ＦＰＤカセッテ４も同期して連続読み取り可能）なものを使用し、曝射スイッチ１３の２段目のスイッチを１回押下しておくだけで、静止画撮影後に自動的に換気情報抽出用の低フレームレート（例えば、７．５ｆｐｓ以下）の動態撮影モードに切り替り、その後（例えば、所定時間経過後）に自動的に血流抽出用の高いフレームレート（例えば、１０ｆｐｓ以上）の動態撮影モードに切り替わる構成とすることが好ましい。例えば、放射線撮影システム１００において、ステップＳ２でコンソール２から静止画撮影と動態撮影（換気情報抽出用、血流情報抽出用）の設定を連続的に行えるようにし、制御部２１は静止画撮影用の位相検知信号を送信したらステップＳ９に戻り、ＦＰＤカセッテ４のready信号を送信後、動態撮影用の呼吸位相が到来するのを待機し、動態撮影用の呼吸位相が到来したら再度位相検知信号を制御装置３に送信する。放射線発生装置１やＦＰＤカセッテ４は、動態撮影時には設定に基づいてフレームレート（パルスレート）を切り替える。これにより、撮影実施者は、静止画撮影から動態撮影に設定変更する手間及びフレームレートを設定変更する手間が省けるとともに、最大吸気位の静止画撮影直後の呼気状態で、換気及び血流情報抽出用の撮影が可能となり、撮影に係る時間を短縮することができる。
【００８０】
以下、本実施形態の変形例について説明する。
【００８１】
＜変形例１＞
図８に、上記実施形態の変形例１における放射線撮影システム１００Ａの構成例を示す。放射線撮影システム１００Ａにおいては、無線アクセスポイント７が備えられており、コンソール２と、ＦＰＤカセッテ４及びドップラーセンサー５とが無線アクセスポイント７を介して無線通信可能な構成となっている（各装置は、無線アクセスポイント７を介して無線通信を行うための通信部を備えている）。また、ＦＰＤカセッテ４やドップラーセンサー５は、バッテリーを備え、撮影時には撮影実施者により電源が投入される。その他の構成及び放射線撮影システム１００Ａの動作は、上記実施形態で説明したものと同様である。
【００８２】
回診撮影では、コンソール２とＦＰＤカセッテ４及びドップラーセンサー５とが比較的近接しており、同期のための信号の遅延も生じにくい。そのため、図８に示すように、コンソール２とＦＰＤカセッテ４及びドップラーセンサー５とが無線接続されている構成であってもよい。このように構成すれば、ＦＰＤカセッテ４やドップラーセンサー５の設置の自由度が増す。なお、無線接続する構成に於いては、生成される画像データは全撮影終了後に、纏めて無線で送信、或いは、纏めて有線接続して送信することが好ましい。
【００８３】
＜変形例２＞
図９に、上記実施形態の変形例２における放射線撮影システム１００Ｂの構成例を示す。図９に示すように、放射線撮影システム１００Ｂは、図１に示す放射線撮影システム１００を構成する各装置に加えて、携帯端末８を備えて構成されている。携帯端末８としては、例えば、ｉＰａｄ（登録商標）等の、外部機器との無線通信機能を有し、携帯可能で入力操作が可能な情報端末を用いることが可能であるが、これに限定されるものではない。
【００８４】
携帯端末８は、基本的に、撮影実施者（図９においてＥで示す）が携帯するようになっている。携帯端末８は、撮影実施者の作業の妨げとならないように、例えば、ストラップ８ａで撮影実施者の首からぶら下げることが好ましい。変形例２において、コンソール２及びドップラーセンサー５は、それぞれ携帯端末８と無線通信する通信部を備え、ドップラーセンサー５からの出力信号は携帯端末８を経由してコンソール２に送信されるようになっている。なお、ドップラーセンサー５は、バッテリーを備え、撮影時には撮影実施者により電源が投入される。また、コンソール２で受信された画像データは、携帯端末８にも送信されて表示部８ｂに表示され、撮影実施者がコンソール２の場所まで足を運ばずともその場で確認可能となっている。
その他の放射線撮影システム１００Ｂの構成及び動作は、図１に示す放射線撮影システム１００と同様である。
【００８５】
放射線撮影システム１００Ｂによれば、撮影時にコンソール２よりもドップラーセンサー５に近く、上方にあり、無線通信障害物の存在確率が少ない位置にある携帯端末８を用いることで、よりスムーズにドップラーセンサー５の出力信号をコンソール２に送信することができる。
【００８６】
以上説明したように、放射線撮影システム１００（１００Ａ、１００Ｂ）によれば、呼吸による被写体Ｈの動態を検出し、被写体Ｈの動態を示す信号を出力するドップラーセンサー５を備え、制御部２１は、ＦＰＤカセッテ４が撮影可能状態であるか否かを確認し、撮影可能状態である場合に、制御装置３にready信号を出力する。また、制御部２１は、ドップラーセンサー５の出力信号波形に基づいて被写体Ｈが呼吸周期の予め定められた位相に到達したか否かを判断し、到達したと判断した場合に、制御装置３に位相検知信号を出力する。制御装置３は、ＦＰＤカセッテ４が撮影可能状態にあり、かつ、被写体Ｈの呼吸が呼吸周期の予め定められた位相に到達した場合に、放射線発生装置１に放射線照射の許可信号を出力する。
【００８７】
従って、ベッドで寝ている重篤な患者であっても、容易かつ精度良く予め定められた呼吸位相の撮影を行うことが可能となる。また、従来、撮影する呼吸位相の指定が困難であった動態撮影時においても、容易かつ精度良く予め定められた呼吸位相の撮影を行うことが可能となる。その結果、患者の被曝線量を低減することができる。
【００８８】
ドップラーセンサー５は、マイクロ波ドップラーセンサーであることが好ましい。マイクロ波ドップラーセンサーは、小型で、その電波は、ガラスや布、アクリル等、非金属の薄い物質は透過する。そのため、布団の中に配置することができ、配置の自由度が高い。また、設置作業も容易である。
【００８９】
また、制御部２１により動態撮影時にドップラーセンサー５の出力信号波形を動態撮影により得られた画像データ及び被写体Ｈの患者情報に対応付けて記憶部２２に記憶しておくようにすることで、例えば、以降の撮影時において撮影する位相の設定や、記憶された出力信号波形と現在のドップラーセンサー５の出力信号波形との比較による病気の信号状態の把握や撮影の有効性の判断等に利用することが可能となる。
【００９０】
なお、上述した本実施形態及びその変形例における記述は、本発明に係る好適な一例であり、これに限定されるものではない。
【００９１】
例えば、上記実施形態においては、本発明を回診用の放射線撮影システムに適用した場合を例にとり説明したが、撮影室の放射線撮影システムに本発明を適用することとしてもよい。
【００９２】
また、上記実施形態においては、曝射スイッチ１３の第２段スイッチのＯＮでドップラーセンサー５を起動することとしたが、例えば、ステップＳ１の患者情報の入力後又はステップＳ２の設定後等に表示部２４にドップラーセンサー５を起動させるためのスイッチ等を表示させ、当該スイッチが押下された際にドップラーセンサー５を起動させることとしてもよい。
【００９３】
経過観察用の撮影時は、比較のために、ドップラーセンサー５も含め、初回撮影時と同じポジショニングで撮影が行われる。従って、初回撮影時等のドップラーセンサー５の出力信号波形と経過観察時のドップラーセンサー５の出力信号波形が明らかに異なる場合は、病状が進行している可能性がある。例えば、胸部は機能が低下すると、動きが少なくなる方向に変化するので、ドップラーセンサー５の出力信号波形の振幅が大幅に低下している場合には、病状が悪化している可能性がある。このような場合、静止画撮影を行っても診断ができないので、静止画撮影を行わず、他の診断方法を採用すべきことになる。
そこで、撮影前（曝射スイッチ１３の押下前）に、コンソール２の制御部２１は、操作部２３の操作に応じて上述のようにドップラーセンサー５を先に起動させて呼吸による被写体Ｈの動態を示す信号を取得し、記憶部２２に記憶されている、被写体Ｈの前回（初回）時のドップラーセンサー５の出力信号波形と並べて表示部２４に表示させることにより、撮影実施者が前回（初回）と大幅な周期変動や振幅変動の有無を確認できるようにすることが好ましい。これにより、無駄な撮影を防止し、被写体Ｈの被曝線量を抑えることができる。
【００９４】
また、上述の撮影パターンの（ｄ）の初回撮影のように、深呼吸状態での撮影を行った後に自然呼吸状態の動態撮影を行うような場合には、コンソール２の制御部２１は、曝射スイッチ１３をＯＮする前にドップラーセンサー５を起動させてドップラーセンサー５の出力信号波形を表示部２４に表示させ、深呼吸状態から自然呼吸状態に遷移したことを撮影実施者が確認してから曝射スイッチ１３を押下できるようにしてもよい。或いは、制御部２１は、ドップラーセンサー５の出力信号波形の周期や振幅が、被写体Ｈが自然呼吸状態に遷移したことを示す予め定められた基準を満たしたか否かを判断し（第２の判断手段）、ドップラーセンサー５の出力信号波形の周期や振幅が予め定められた基準を満たしたと判断した場合に、制御装置３に位相検知信号を出力することとしてもよい。そして、ＦＰＤカセッテ４が撮影可能状態となり、被写体Ｈの動態の所定位相が到来したことに加え、更に、ドップラーセンサー５の出力信号波形の周期や振幅が予め定められた基準を満たした場合に、制御装置３が放射線発生装置１にインターロック解除信号を出力するようにしてもよい。自然呼吸状態の動態撮影により得られた動態画像を経過観察の基準画像とする場合、基準画像に深呼吸の影響が残っていると正確な診断ができないからである。
【００９５】
また、上記実施形態においては、ドップラーセンサー５は、呼吸による被写体Ｈの動態を検出するものとして説明したが、心拍を検出し、心拍が所定の位相となったときに撮影を行うこととしてもよい。また、上記実施形態においては、胸部の動態を撮影する場合を例にとり説明したが、これに限定されるものではない。
【００９６】
また、上記実施形態においては、制御装置３を備え、制御装置３が放射線発生装置１にインターロック解除信号を送信する構成としたが、ＦＰＤカセッテ４が撮影可能状態となり、かつ、被写体Ｈの動態周期が所定の位相に到達したと判断した場合に、コンソール２から放射線発生装置１に直接インターロック解除信号を送信する構成としてもよい。
また、上記実施形態においては、放射線発生装置１が動態撮影用の放射線照射としてパルス照射する構成としたが、動態撮影用の放射線照射として低線量率の放射線を途切れなく継続して照射する(連続照射)構成としてもよい。
【００９７】
その他、放射線撮影システムを構成する各装置の細部構成及び細部動作に関しても、発明の趣旨を逸脱することのない範囲で適宜変更可能である。
【符号の説明】
【００９８】
１００、１００Ａ、１００Ｂ  放射線撮影システム
１  放射線発生装置
１１  放射線源
１２  操作卓
１３  曝射スイッチ
２  コンソール
２１  制御部
２２  記憶部
２３  操作部
２４  表示部
２５  通信部
２６ａ  コネクター
２６ｂ  コネクター
２６ｃ  コネクター
２７  バス
３  制御装置
４  ＦＰＤカセッテ
５  ドップラーセンサー
７  無線アクセスポイント
８  携帯端末
【図１】
2015208443.tif 000003
【図２】
2015208443.tif 000004
【図３】
2015208443.tif 000005
【図４】
2015208443.tif 000006
【図５】
2015208443.tif 000007
【図６】
2015208443.tif 000008
【図７】
2015208443.tif 000009
【図８】
2015208443.tif 000010
【図９】
2015208443.tif 000011